(57)【要約】【課題】複数の記録形式が混在した磁気テープ（記録媒体）を良好に再生可能にするための記録再生装置を提供する。【解決手段】ディジタルＶＴＲ・１は、複数の記録形式で磁気テープ２６に画像データを記録する。また、ディジタルＶＴＲ・１は、磁気テープ２６にＳＤ記録（第１の記録形式）で記録された第１の画像データに続いて、第１の記録形式と異なるＳＤＬ記録（第２の記録形式）で第２の画像データを記録する場合に、第１の画像データに続いて第２の記録形式に関する情報である記録形式切替え情報を記録してから第２の画像データの記録を開始する。【選択図】　図１
2004145998.tif 000002
【特許請求の範囲】
【請求項１】
複数の記録形式で記録媒体に画像データを記録する記録手段と、
前記記録媒体に第１の記録形式で記録された第１の画像データに続いて、前記第１の記録形式と異なる第２の記録形式で第２の画像データを記録する場合に、前記第１の画像データに続いて前記第２の記録形式に関する情報である記録形式切替え情報を記録してから前記第２の画像データの記録を開始するよう前記記録手段を制御する記録制御手段と
を具備することを特徴とする記録再生装置。
【発明の詳細な説明】
【０００１】
【発明の属する技術分野】
本発明は、複数の記録形式で記録媒体に画像データを記録する機能と、複数の記録形式で記録媒体に記録された画像データを再生する機能とを具備する記録再生装置に関するものである。
【０００２】
【従来の技術】
従来から、膨大なデータ量の画像データ（音声データ等を含む）を符号化することによりデータ量を削減して比較的低い伝送レートで伝送したり、低い記録レートで記録媒体に記録したりし得るようにするための各種装置が開発されている。
例えば、画像データを磁気テープ等の記録媒体に記録するディジタルＶＴＲ（記録再生装置）においても１２４Ｍｂｐｓ程度の入力画像データを５分の１の２５Ｍｂｐｓ程度に圧縮して磁気テープ上に記録し、再生するための規格が制定されている。
【０００３】
このような規格に基づく記録再生装置においては、入力データをＤＣＴ（離散コサイン変換）処理した後に量子化し、この量子化データを可変長符号化することによってデータの圧縮を行っており、さらに量子化する際の量子化ステップを各種のパラメータに基づいて可変長符号化し、可変長符号化された後のデータ量が一定となるようにレート制御が行われる。
また、上記記録再生装置において記録媒体である磁気テープに画像データを記録／再生する記録形式として、標準記録／再生モード（以下、ＳＤ記録とする。）と長時間記録／再生モード（以下、ＳＤＬ記録とする。）とがある。このＳＤＬ記録においては、ＳＤ記録に対して水平方向のサンプリング数が３／４に間引き、その後ＳＤ記録の圧縮率に対して更に１／１．５に高圧縮した符号化処理を施し、磁気テープに記録することで、同じ記録容量の磁気テープにおいてＳＤ記録より長時間の記録／再生を実現している。
【０００４】
上述した磁気テープへ画像データを記録し、再生する記録再生装置の動作について以下に図を用いて説明する。尚、その記録再生装置は、磁気テープへ画像データを記録する記録モードと、磁気テープに記録した画像データを再生する再生モードがある。また、記録再生装置は、記録モード時に画像データを磁気テープに記録するか否かを制御するため、例えば記録開始／停止ボタンを具備する。
【０００５】
図９（ａ）に示すように、ＳＤ記録／ＳＤＬ記録の異なる記録形式が混在した記録テープ（磁気テープ）を再生する場合、上記記録形式の遷移部分においては、記録テープ上に形成されるトラックの傾斜が異なるため、ＳＤ記録部分にＳＤＬ記録が重なってしまう。ここで、図９（ｂ）は、つなぎ撮り（撮影（記録モード）時に記録開始／停止ボタンの押下を繰り返すことで異なるシーンを磁気テープに連続して記録する撮影手法）時の記録再生装置のメカ動作を示した図である。図９（ｂ）に示すように、記録再生装置は、一旦、記録テープの巻き戻しをした後に再生する事により頭だしを行い、その後、記録形式の相違に関係なく次の記録（ＳＤＬ記録）を開始する。
【０００６】
次に、図１０は、図９（ｂ）に示した記録再生装置のつなぎ撮り時の処理を示すフロー図である。ステップＳ１００にて、記録再生装置のつなぎ撮り処理が開始される。まず、ステップＳ１０１で図９（ｂ）に示すように磁気テープを巻き戻して、再生することで頭出し処理を行う。次に、頭出し完了後、ステップＳ１０２にて、記録開始／停止ボタンが押下されたかどうかを判定する。ここで、「押下されていない」と判断した場合（ステップＳ１０２のＮＯ）、記録開始／停止ボタンが押下されるまで判断（ステップＳ１０２）を繰り返す。ここで、「押下された」と判断した場合（ステップＳ１０２のＹＥＳ）、ステップＳ１０３にて操作者に指定された次の記録形式を認識する。次に、ステップＳ１０４にて指定された次の記録形式で磁気テープへの記録を開始する。以上で記録再生装置によるつなぎ撮りを終了する（ステップＳ１０５）。
【０００７】
また、図９（ａ）に示したようなＳＤ記録／ＳＤＬ記録の異なる記録形式が混在した記録テープとなる別の場合について説明する。例えば、記録再生装置が記録処理中に記録形式をＳＤ記録からＳＤＬ記録にダイナミックに切替える処理を行うことが考えられる。
図１１は、記録再生装置が記録処理中に記録形式をＳＤ記録からＳＤＬ記録にダイナミックに切替える処理を示すフロー図である。ステップＳ２００にて、記録再生装置の記録開始／停止ボタンが押下されて記録処理が開始される。これにより、ステップＳ２０１にて記録再生装置は、磁気テープにＳＤ記録の記録形式で映像データを記録する記録処理を行う。
【０００８】
次に、記録再生装置は、ステップＳ２０２にて記録開始／停止ボタンが押下されたかどうかを判定し「押下された」と判断した場合（ステップＳ２０２のＹＥＳ）、ステップＳ２０５に進み記録処理を停止する。以上により、ステップＳ２０６にて記録処理が終了する。また、ステップＳ２０２にて記録開始／停止ボタンが押下されていないと判断した場合（ステップＳ２０２のＮＯ）には、記録再生装置は、記録開始／停止ボタンが押下されるまで以下に示す処理を行う。
【０００９】
まず、ステップＳ２０３にて記録再生装置は、記録形式の変更指示の有無を確認する。ここで、記録形式の変更指示がある場合（ステップＳ２０３のＹＥＳ）には、記録再生装置は、図９（ａ）に示したように記録処理の際の記録形式を次の記録形式（ＳＤＬ記録）に変更する。次に、記録再生装置は、ステップＳ２０１に戻り、変更後の記録形式（ＳＤＬ記録）で記録処理を行う。また、記録形式の変更指示が無い場合（ステップＳ２０３のＮＯ）には、記録再生装置はステップＳ２０１にもどり記録処理を継続する。
【００１０】
【発明が解決しようとする課題】
しかしながら、上述した従来の記録再生装置の場合、記録モード時には図９（ａ）に示すようにＳＤ記録で記録したトラックのデータがＳＤＬ記録で記録したトラックデータでオーバーライト（上書き）される問題がある。また、再生モード時には、磁気テープに記録している記録形式の検出に時間がかかり、遅延時間が発生することで、例えばＳＤＬ記録された領域をＳＤ記録として誤って再生する等の不具合が発生する事でブロックエラーが多発して、遅延時間分の間に著しく再生画像の画質を劣化させていた。
【００１１】
この発明は、上述した事情を考慮してなされたもので、複数の記録形式が混在した磁気テープ（記録媒体）を良好に再生可能にするための記録再生装置を提供することを目的とする。
【００１２】
【課題を解決するための手段】
この発明は、上述した課題を解決すべくなされたもので、本発明による記録再生装置は、複数の記録形式で記録媒体に画像データを記録する記録手段と、記録媒体に第１の記録形式で記録された第１の画像データに続いて、第１の記録形式と異なる第２の記録形式で第２の画像データを記録する場合に、第１の画像データに続いて第２の記録形式に関する情報である記録形式切替え情報を記録してから第２の画像データの記録を開始するよう記録手段を制御する記録制御手段とを具備することを特徴とする。
【００１３】
これにより、本発明の記録再生装置においては、入力された画像信号を演算して可変長符号化し、所定の単位で固定長符号化した画像データ（ディジタル信号）を異なる記録形式である標準記録／再生モード、または長時間記録／再生モードを混合して記録媒体に記録する画像記録装置でつなぎ撮りをする場合において、つなぎ撮り部分に記録形式切替え情報を挿入して記録することができる。これにより、再生時につなぎ撮り部分において、再生中の記録形式と異なる次の記録形式に関する情報である記録形式切替え情報を読み取ることができる。すなわち、異なる記録形式で次に記録されている画像データを再生する処理の切り替わりを予測して適切な処理を行うことができる。以上により複数の記録形式が混在した磁気テープ（記録媒体）を良好に再生可能にすることができる。
【００１４】
【発明の実施の形態】
以下、図面を用いて本発明の記録再生装置の一実施形態であるディジタルＶＴＲ（記録再生装置）について説明する。
図１は、本発明の一実施形態におけるディジタルＶＴＲの概略構成を示すブロック図である。特に、図１には、ディジタルＶＴＲ・１における、画像データを磁気テープ（記録媒体）２６に記録するための記録形式である記録用画像データへ変換する機能や、磁気テープ２６より読み出された記録用画像データを再生するため画像データへ変換する機能を有する画像データ処理回路３とその周辺部分の概略構成を示している。
本実施形態は、図１に示すように各種処理ブロックが画像データ処理回路３の内／外のＣＰＵ（中央演算装置）によって制御されつつ各々が所望のタイミングでメモリにアクセスし、それらのアクセス要求をメモリ制御部が制御することで上記処理ブロックの動作を保証するように構成されている。
【００１５】
また、本実施形態におけるディジタルＶＴＲ・１は磁気テープ２６へ画像データを記録する記録形式として、上述した標準記録／再生モード（以下、ＳＤ記録とする。）と長時間記録／再生モード（以下、ＳＤＬ記録とする。）のどちらかを用いる。すなわち、ディジタルＶＴＲ・１は、ＳＤ記録とＳＤＬ記録に対応する画像データ及びオーディオデータのリアルタイム処理（記録・再生処理）を行うことができる。ＳＤ記録はＳＤＬ記録に比べて再生画像の画質は良いが、単位時間あたりに磁気テープ２６へ記録するデータ量が大きい。
【００１６】
また、本実施形態においては図１に示す各処理回路を並列配置して、各処理回路に時分割的に画像データ及びオーディオデータを供給して処理させることによって１フレーム当たりのデータ量が上記ＳＤ記録に対応する記録形式の画像データに対して倍のデータ量であるようなＨＤ（Ｈｉｇｈ　Ｄｅｆｉｎｉｔｉｏｎ）に対応する記録形式の画像データ及びオーディオデータをリアルタイムに処理することが出来るように構成されてもよく、その他のＪＰＥＧやＭＰＥＧ等の記録形式をリアルタイムに処理することができる構成でもよい。
【００１７】
図１において、データＩ／Ｏブロック２２は、ビデオカメラ等からの入力データ、ＥＶＦ（Ｅｌｅｃｔｒｉｃ　Ｖｉｅｗ　Ｆｉｎｄｅｒ）への出力データ、ライン入出力データ等の画像データ処理回路３への画像データの入出力を制御する。サーボ系ＣＰＵ２３は、各ブロックやメカ制御を行う。例えば、サーボ系ＣＰＵ２３は、ＣＰＵバスＣＢＳ１を介して磁気テープ２６のテープ走行や、不図示の記録ヘッドを備えるドラムの回転や位置などを制御する。電磁変換処理ブロック２５は、記録モードでは、後述する符号化データ入出力ブロック１０からの記録すべきデータを磁気テープ２６に磁気記録し、再生モードでは、磁気テープ２６の記録信号を再生し符号化データ入出力ブロック１０に供給する。
【００１８】
また、画像データ処理回路３は、以下の各処理部より構成されている。画像データ入出力ブロック６は、上記のように入力される画像データに対してＹ／Ｃ分離等の処理を行う。また、オーディオ処理ブロック７は、オーディオ処理を行う。符号化／復号化ブロック８は、画像データに対して離散コサイン変換を用いた可変長符号化／復号化を行う。誤り訂正ブロック９は、誤り訂正を行う。符号化データ入出力ブロック１０は、記録時に上記符号化データを磁気テープ２６に記録するための記録形式に変換または、再生時にデフォーマット処理（磁気テープより読み取ったデータを符号化データに）をする。これら各ブロックはアドレス変換回路５及びメモリインターフェース４を介して外付けのメモリ２とデータの授受を行う。
【００１９】
また、上述した処理回路の動作は、画像データ処理回路３内部の電気系の処理を制御するシステムコントロールＣＰＵ１１からＣＰＵバスＣＢＳ２を介して供給される所定のコマンドにより制御される。更に、上述した処理回路の動作は、外部のサーボ系ＣＰＵ２３からＣＰＵバスＣＢＳ１及びインターフェース２１、及びＣＰＵバスＣＢＳ２を介して供給される所定のコマンドによっても制御される。以上の制御により、並列配置された各ブロックを時分割処理させることができる。
【００２０】
本実施例における上記メモリ２は、クロックの立ち上がりに同期してデータのバースト転送を行い得るＳＤＲＡＭ（ＳｙｎｃｒｏｎｏｕｓＤＲＡＭ）が用いられており、図１に示すようなジッターの無い外部の周波数発信器２７から上記画像データ処理回路３内の周波数逓倍器２９に例えば２７．５ＭＨｚのクロックを供給し、周波数逓倍器２９おいて、逓倍されて発生した６７．５ＭＨｚがリファレンスクロック（ＭＣＬＫ）として供給される。ここでリファレンスクロック６７．５ＭＨｚは、周波数発信器３１で作られるＨＳｙｎｃ（水平同期信号）にロックした１３．５ＭＨｚの整数倍（５倍）に設定されている。
【００２１】
上記メモリ２の所定のメモリ領域には、符号化される前の画像データ（Ｙ，Ｃｒ，Ｃｂ）が画素単位で書き込まれる。この画像データ（ＮＴＳＣ（Ｎａｔｉｏｎａｌ　Ｔｅｌｅｖｉｓｉｏｎ　Ｓｙｓｔｅｍ　Ｃｏｍｉｔｔｅｅ）方式のＳＤ記録モードの場合、１フレーム当たり水平７２０画素×垂直４８０画素）は、符号化時には水平方向５ブロック×垂直方向１０ブロックの５０個のスーパーマクロブロック（以下、ＳＭＢと記す）に配分され、各ＳＭＢは輝度データ４ＤＣＴブロックと色差データ各１ＤＣＴブロックとから成るマクロブロック（以下、ＭＢと記す）を２７ブロック集めて構成される。なお、各ＤＣＴブロックは８×８画素から構成される。
【００２２】
また、上述のような画素数から成る１フレームの画像データはＮＴＳＣ方式の場合符号化処理された後に電磁変換処理ブロック２５を経て磁気テープ２６上の１０トラック（ＰＡＬのＳＤ記録モード場合１２本）に渡って記録されるが、符号化前の画像データは上述のような水平方向に整列された５ＳＭＢ分のデータが１本のトラックにそれぞれ対応する。
【００２３】
一方、メモリ２の他のメモリ領域には、符号化された後の画像データ及び誤り訂正符号等が格納されている。また、それらのデータは、上述の１０本（ＰＡＬのＳＤ記録モードの場合１２本）のトラックに分配されて磁気テープ２６に記録される。ここで各トラックに対応する領域には１４９のシンクブロック（以下、ＳＢと記す）が記録されている。
【００２４】
同様に、オーディオデータ及び誤り訂正符号等も、上記画像データ領域とは独立した１０本（ＰＡＬの場合１２本）のトラックに分配されて磁気テープ２６に記録され、各トラックに対応する領域には１４ＳＢが記録される。
また、画像データ／オーディオデータの各ＳＢは、ＳＢの先頭を示す同期データ（以下、ＳＹと記す）、信号の各アドレス及び属性等を示すＩＤデータ（以下、ＩＤと記す）、有効（画像／オーディオ）データ、及びパリティからそれぞれ構成される。
【００２５】
ＮＴＳＣ方式のＳＤＬ記録モードの場合は、１フレーム当たり水平５４０画素×垂直４８０画素の画像データに対して、水平方向５ブロック×垂直方向５ブロックの２５個のＳＭＢに配分され、各ＳＭＢは輝度データ６ＤＣＴブロックと色差データ各１ＤＣＴブロックとから成るＭＢを２７ブロック集めて構成されている。上述のように符号化された１フレームの画像データは磁気テープ２６上の５本（ＰＡＬのＳＤＬ記録モード場合６本）のトラックに分配されて記録される。
【００２６】
また、上述のようなメモリ２に対する各処理ブロックのアクセスはアドレス変換回路５により調停制御及び、アドレス制御される。
即ち、アドレス変換回路５は、システムコントロールＣＰＵ１９やサーボ系ＣＰＵ２３（以下、内外部ＣＰＵとする）からＣＰＵバスＣＢＳ２を介して再生モードか記録モードかといった各種動作モードの種類等を指定するコマンドが伝送されるか、又は、直接各ブロックのアドレスの所定ビットによって上記モードが伝送されて、これらの情報に応じてデータ転送の優先順位に関するスケジューリングを行うと共に、上記各ブロックからのアクセス要求（以下、Ｒｅｑと記す）に応じて各処理ブロックとメモリ１７との間のデータ転送の調停制御を行う。
【００２７】
また、上記コマンドは、不図示のディジタルＶＴＲ・１本体が具備する各スイッチ等によって設定される動作モードを上記内外部ＣＰＵが検出する事によって決定されるものであり、例えば符号化モード、復号化モード、或いは、ＶＴＲにおける特殊再生モード等の各種動作モードに対応する。
なお、上記コマンドによって指定される動作モードとしては上述のものに限られず、例えば画像合成、アフレコ、インサート等の編集、ダビング等の各種動作を含む。
【００２８】
上記アドレス変換回路５は、上記各処理ブロックにおける処理形態及び上記メモリ２のアドレス空間に応じた最適なデータ単位でアドレッシングし得るように各処理ブロック毎に後述する所定のアドレスを生成する。
また、このアドレス変換回路５におけるアドレス生成動作は、上記内外部ＣＰＵから伝送される画像タイプに応じたパラメータに基づいて可変設定されるようになっており、例えば処理すべき画像がＳＤ記録かＳＤＬ記録か、或いは、ＮＴＳＣかＰＡＬかといった画像タイプ（サイズ）に応じて異なるアドレスを発生する。
【００２９】
一方、上記各処理回路の各部はそれぞれ必要なクロックが供給されており、そのクロックに同期して動作する。
これらのクロックは、入力信号中から抽出される同期信号ＨＳｙｎｃ、ＶＳｙｎｃ及び内部基準クロック等に基づいて生成され、各処理ブロックは、供給されたクロックに応じた処理動作を行う。以下にクロックの具体例を示す。第一のクロック（本実施例では１３．５ＭＨｚ）は、上記画像データ入出力ブロック６に供給されて入力信号に同期するクロックである。第２のクロック（本実施例では４８ＫＨｚ）は、オーディオ処理ブロック７に供給されてオーディオデータの処理を行うためのクロックである。第３のクロック（本実施例では６７．５ＭＨｚ）は、符号化／復号化ブロック８と誤り訂正ブロック９及び、アドレス変換回路５、メモリＩ／Ｆ４、メモリ２に供給されるクロックである。第４のクロック（本実施例では４１．８５ＭＨｚ）は、符号化データ入出力ブロック１０に電磁変換処理ブロック２５から供給されるドラムの回転に同期したクロックで、磁気テープ２６への記録／再生を行うためのクロックである。
【００３０】
図２は、図１の電磁変換処理ブロック２５を介して磁気テープ２６に記録されるＮＴＳＣの場合のトラック構成図である。ここで記録ヘッドはトラックに対して矢印方向に走査する。まず、４０はプリアンブル／ポストアンブル、トラック情報等が記録されるＩＴＩ領域である。４１はエディットギャップ１、４２はオーディオプリアンブル、４３は１４ＳＢで構成されるオーディオデータ、４４はオーディオポストアンブル、４５はエディットギャップ２、４６はビデオプリアンブル、４７は１４９ＳＢで構成されるビデオデータ、４８はビデオポストアンブル、４９はエディットギャップ３、５０はサブコードプリアンブル、５１は１２ＳＢで構成されるサブコード領域、５２はサブコードポストアンブル、５３はオーバーライトマージンである。
【００３１】
図３（ａ）、図３（ｂ）は、本実施形態において異なる記録形式（ＳＤ記録とＳＤＬ記録）が混載する時の記録方法を表した図である。
図３（ａ）は、磁気テープ２６において既にＳＤ記録された部分に続けて異なる記録形式であるＳＤＬ記録を実施した場合のトラックパターンを表した図である。図３（ａ）に示すように、ディジタルＶＴＲ・１は、記録形式の遷移部分３１に１０トラック分の記録形式切替え情報を記録し、その後にＳＤＬ記録により通常の記録を実施する。尚、本実施形態において記録形式の切替えが起こるのは、以下の場合である。
・ディジタルＶＴＲ・１にて、つなぎ撮りを行う際に、利用者が記録形式を変更するスイッチを操作した場合（ケース１）
・ディジタルＶＴＲ・１にて、記録処理中に記録形式を変更する場合（ケース２）
【００３２】
また、図３（ｂ）は、上記処理に於けるサーボ系ＣＰＵ２３のメカ制御を表した図である。ディジタルＶＴＲ・１に記録テープ（磁気テープ２６を含む）を挿入すると、サーボ系ＣＰＵ２３の制御により、図３（ｂ）に示すように、既にＳＤ記録で記録されている磁気テープ２６を一旦巻き戻し、従来の手法による再生及び頭出しを行い所定位置で停止する。この時、再生データから抽出された記録形式がシステムコントロールＣＰＵ１１に伝達され現在の記録形式（ＳＤ記録）が識別される。次に記録形式切替え情報を所定数のトラックに渡り記録し、その後、ＳＤＬ記録による通常の記録処理を行う。
【００３３】
次に、上述したケース１（つなぎ撮り時）の場合について、ディジタルＶＴＲ・１が磁気テープ２６に異なる記録形式でデータを記録する動作について説明する。図４は、図１に示したディジタルＶＴＲ・１におけるつなぎ撮り時の動作を示すフロー図である。
まず、ステップＳ１０にて利用者のスイッチ操作等によりディジタルＶＴＲ・１におけるつなぎ撮り処理が開始される。次に、ステップＳ１１で磁気テープ２６を巻き戻して頭出し処理を行う。頭出し完了後、ステップＳ１２で現在の記録形式（ＳＤ記録ｏｒＳＤＬ記録）を認識する。次に、ステップＳ１３にて記録開始／停止ボタンが押下されたかどうかを判定し「押下された」と判断した場合（ステップＳ１３のＹＥＳ）、ステップＳ１４に進み次の記録形式を認識する。また、ステップＳ１３にて記録開始／停止ボタンが押下されていないと判断した場合（ステップＳ１３のＮＯ）には、ループ処理により記録開始／停止ボタンの押下を待機する待機状態となる。
【００３４】
次に、ステップＳ１５にて現在の記録形式と次の記録形式が同じであるか否かを判定する。ここで記録形式が同じと判定した場合（ステップＳ１５のＹＥＳ）は、ステップＳ１８にて現在の記録形式に続けて、同じ記録形式である次の記録形式により通常の記録を開始する。また、現在の記録形式と次の記録形式が異なると判定した場合（ステップＳ１５のＮＯ）は、現在の記録形式にて記録形式切替え情報の記録を開始する（ステップＳ１６）。次に、ステップＳ１７にて記録形式切替え情報の所定トラック数の記録が完了した事を確認する。記録の完了が確認できない場合（ステップＳ１７のＮＯ）は、記録を続行する。記録の完了が確認できた場合（ステップＳ１７のＹＥＳ）は、ステップＳ１８に進み次の記録形式により通常の記録を開始する。以上によりステップＳ１９にてつなぎ撮りを終了する。
【００３５】
次に、上述したケース２（記録形式の変更）の場合について、ディジタルＶＴＲ・１が磁気テープ２６に異なる記録形式でデータを記録する動作について説明する。図５は、図１に示したディジタルＶＴＲ・１における記録処理中に記録形式を変更する動作を示すフロー図である。
まず、利用者の記録開始／停止ボタンの押下により、ステップＳ２０のディジタルＶＴＲ・１は、記録処理を開始する。これにより、ステップＳ２１にてディジタルＶＴＲ・１は、磁気テープ２６にＳＤ記録の記録形式で映像データを記録する記録処理を行う。
【００３６】
次に、ディジタルＶＴＲ・１は、ステップＳ２２にて記録開始／停止ボタンが押下されたかどうかを判定し「押下された」と判断した場合（ステップＳ２２のＹＥＳ）、ステップＳ２７に進み記録処理を停止する。以上により、ステップＳ２８にて記録処理が終了する。また、ステップＳ２２にて記録開始／停止ボタンが押下されていないと判断した場合（ステップＳ２２のＮＯ）には、ディジタルＶＴＲ・１は、記録開始／停止ボタンが押下されるまで以下に示す処理を行う。
【００３７】
まず、ステップＳ２３にてディジタルＶＴＲ・１は、記録形式の変更指示の有無を確認する。ここで、記録形式の変更指示がある場合（ステップＳ２３のＹＥＳ）には、ディジタルＶＴＲ・１は、図３（ａ）に示した記録形式切替え情報の記録を開始する。また、記録形式の変更指示が無い場合（ステップＳ２３のＮＯ）には、ディジタルＶＴＲ・１はステップＳ２１にもどり記録処理を継続する。尚、記録形式の変更指示は、ディジタルＶＴＲ・１が内部処理で得てもよいし、利用者のスイッチ操作により得てもよい。この場合の内部処理とは、例えば磁気テープ２６のテープ残量を管理して、そのテープ残量が所定量以下になった場合にＳＤＬ記録への変更指示を出力するなどである。
【００３８】
次に、ステップＳ２５にてディジタルＶＴＲ・１は、記録形式切替え情報の所定トラック数の記録が完了した事を確認する。記録の完了が確認できない場合（ステップＳ２５のＮＯ）には、ディジタルＶＴＲ・１は、記録を続行する。記録の完了が確認できた場合（ステップＳ２５のＹＥＳ）には、ステップＳ２６に進み記録処理の際の記録形式を次の記録形式（本実施例ではＳＤＬ記録）に変更する。次に、ディジタルＶＴＲ・１は、ステップＳ２１に戻り、変更後の記録形式（ＳＤＬ記録）で記録処理を行う。
【００３９】
以上に示したように、ディジタルＶＴＲ・１は、記録処理中に記録形式の変更指示を受けた場合には、記録処理中の記録形式（第１の記録形式）で記録形式切替え情報を記録した後に、変更指示に応じた記録形式（第２の記録形式）で記録処理を続けることができる。これにより、上記の画像データを再生時に、ディジタルＶＴＲ・１は、予め記録形式が変更されることを察知することができるので、異なる記録形式が混在した記録テープ（磁気テープ）を良好に再生することが可能である。
【００４０】
図６は、図３に示した記録形式切替え情報を書き込むトラックのサブコード領域の構成を示す図である。
トラック毎に、１２個のシンクブロック（０〜１１のＳｙｎｃ　ｂｌｏｃｋ　ｎｕｍｂｅｒ）を有し、１シンクブロックは１２ｂｙｔｅ（０〜１１のバイト・ポジション・ナンバが付与されている）で構成する。図６に示すように、バイト・ポジション・ナンバ０，１には、ＳＢの先頭を示す同期データであるＳＹ、バイト・ポジション・ナンバ２〜４には、信号の各アドレス及び属性等を示すＩＤ、バイト・ポジション・ナンバ５〜９には、有効サブコードデータ、バイト・ポジション・ナンバ１０〜１１には、パリティデータが割り当てられている。
【００４１】
図７は、上記記録形式切替え情報に含まれる記録形式データのテーブルを示す図である。例えば、記録形式切替え情報記録用のトラック全てに渡るサブコード領域中において全てのシンクブロックのバイト・ポジション・ナンバ５に以下に示すコードが格納される。図７に示すように、０ｘ００はＳＤ記録、０ｘ０１はＳＤＬ記録、０ｘ０２はＨＤ、０ｘ０３はＨＤＬ、０ｘ０４はＭＰＥＧであり、その他は本実施例では未定義である。
【００４２】
図８は、上記記録形式切替え情報に含まれる切替えタイミングに関する情報を示す図である。図８示すように、サブコード領域中における全てのシンクブロックのバイト・ポジション・ナンバ６に格納される。本実施例では、ＳＤ記録形式からＳＤＬ記録形式への切替えタイミングが３０トラック後に設定されている場合を想定している。従って、現記録形式であるＳＤ記録形式による記録形式切替え情報は＃０〜＃２９までの３０トラックに渡り記録される。ここで、上記バイト・ポジション・ナンバ６に格納される切替えタイミング値は、トラック＃０には３０トラック後を示す０ｘ１Ｅ（１６進数）、トラック＃１には２９トラック後を示す０ｘ１Ｄを記録し、順次、トラック毎にデクリメントした値を記録する。
【００４３】
上記の如く記録されたＳＤ記録／ＳＤＬ記録混載テープを再生する場合は、記録形式切替え情報を再生した時点に於いて、記録形式の切替えタイミングがトラック周期でわかると共に、次の記録形式（第２の記録形式）を検出し、そのタイミングに合せて、図１に示したシステムコントロールＣＰＵ１９及びサーボ系ＣＰＵ２３により各ブロックが第２の記録形式に応じて制御されメカ制御及び、復号処理の切替え等の復号化処理を行う。これにより、本実施形態におけるディジタルＶＴＲ・１は、複数の記録形式が混在した磁気テープ（記録媒体）を良好に再生することができる。
【００４４】
上記実施例は本発明の一例であって、ＮＴＳＣモードのみならず、ＰＡＬモード、さらにはＨＤモード、ＭＰＥＧなどの種々の記録形式が混載記録された磁気テープにおいても同様の処理が可能であることは明らかである。
【００４５】
本発明の実施態様の例を以下に列挙する。
【００４６】
［実施態様１］　複数の記録形式で記録媒体に画像データを記録する記録手段と、前記記録媒体に第１の記録形式で記録された第１の画像データに続いて、前記第１の記録形式と異なる第２の記録形式で第２の画像データを記録する場合に、前記第１の画像データに続いて前記第２の記録形式に関する情報である記録形式切替え情報を記録してから前記第２の画像データの記録を開始するよう前記記録手段を制御する記録制御手段とを具備することを特徴とする記録再生装置。
【００４７】
［実施態様２］　前記記録制御手段は、前記第１の記録形式で前記記録形式切替え情報を前記記録媒体に記録するよう前記記録手段を制御することを特徴とする実施態様１に記載の記録再生装置。
【００４８】
［実施態様３］　前記記録形式切替え情報は、前記第２の記録形式に関する情報として、前記第２の記録形式を特定する情報と、前記第２の記録形式への切替えタイミングに関する情報とを少なくとも含むことを特徴とする実施態様１または実施態様２に記載の記録再生装置。
【００４９】
［実施態様４］　前記第２の記録形式への切替えタイミングに関する情報は、前記記録媒体に記録するトラック単位にデクリメントされる情報であることを特徴とする実施態様３に記載の記録再生装置。
【００５０】
［実施態様５］　複数の記録形式で記録媒体に画像データを記録する記録手段と、前記記録媒体に第１の記録形式で記録された第１の画像データに続いて、第２の記録形式で第２の画像データを記録する場合に、前記第１の記録形式と前記第２の記録形式の同異を比較する比較手段と、前記比較手段が前記第１の記録形式と前記第２の記録形式が同じ記録形式と判断した場合には、前記第１の画像データに続けて前記第２の画像データを記録するよう制御し、前記比較手段が前記第１の記録形式と前記第２の記録形式が異なる記録形式と判断した場合には、前記第１の画像データに続けて前記第１の記録形式で前記第２の記録形式に関する情報である記録形式切替え情報を記録してから前記第２の画像データを記録するよう前記記録手段を制御する記録制御手段とを具備することを特徴とする記録再生装置。
【００５１】
［実施態様６］　複数の記録形式で記録媒体に記録された画像データを読み出して再生する際に、異なる記録形式へ遷移する部分において前記記録形式切替え情報を参照して前記第２の記録形式に対応した再生を行う再生手段を更に具備することを特徴とする実施態様１から実施態様５のいずれか１項に記載の記録再生装置。
【００５２】
［実施態様７］　前記再生手段は、前記記録形式切替え情報を基に、前記第２の記録形式に応じて信号処理およびメカ制御を切替えることを特徴とする実施態様６に記載の記録再生装置。
【００５３】
【発明の効果】
以上説明したように、本発明による記録再生装置は、複数の記録形式で記録媒体に画像データを記録する記録手段と、記録媒体に第１の記録形式で記録された第１の画像データに続いて、第１の記録形式と異なる第２の記録形式で第２の画像データを記録する場合に、第１の画像データに続いて第２の記録形式に関する情報である記録形式切替え情報を記録してから第２の画像データの記録を開始するよう記録手段を制御する記録制御手段とを具備するので、記録形式が遷移する部分に遷移後の記録形式（第２の記録形式）に関する情報である記録形式切替え情報を記録することができる。
【００５４】
これにより、例えば、入力された画像信号を演算して可変長符号化し、所定の単位で固定長符号化した画像データ（ディジタル信号）を異なる記録形式である標準記録／再生モード、または長時間記録／再生モードを混合して記録媒体に記録する画像記録装置でつなぎ撮りをする場合において、つなぎ撮り部分に記録形式切替え情報を挿入して記録することができる。これにより、再生時につなぎ撮り部分において、再生中の記録形式と異なる次の記録形式に関する情報である記録形式切替え情報を読み取ることができる。すなわち、異なる記録形式で次に記録されている画像データを再生する処理の切り替わりを予測して適切な処理を行うことができる。以上により複数の記録形式が混在した記録テープ（記録媒体）を良好に再生可能にすることができる。また、複数の記録形式が混在した記録テープを再生する場合、記録形式が切替わる部分に於いて、例えばＳＤＬ記録された領域を誤ってＳＤ記録として再生すること等の不具合が発生せず、極めて良好な再生画像を連続して得る事ができる効果がある。
【図面の簡単な説明】
【図１】本発明の一実施形態におけるディジタルＶＴＲの概略構成を示すブロック図である。
【図２】図１の電磁変換処理ブロック２５を介して磁気テープ２６に記録されるＮＴＳＣの場合のトラック構成図である。
【図３】本実施形態において異なる記録形式（ＳＤ記録とＳＤＬ記録）が混載する時の記録方法を表した図である。
【図４】図１に示したディジタルＶＴＲ・１におけるつなぎ撮り時の動作を示すフロー図である。
【図５】図１に示したディジタルＶＴＲ・１における記録処理中に記録形式を変更する動作を示すフロー図である。
【図６】図３に示した記録形式切替え情報を書き込むトラックのサブコード領域の構成を示す図である。
【図７】上記記録形式切替え情報に含まれる記録形式データのテーブルを示す図である。
【図８】上記記録形式切替え情報に含まれる切替えタイミングに関する情報を示す図である。
【図９】従来のつなぎ撮り時の記録状態および記録再生装置のメカ動作を示した図である。
【図１０】図９（ｂ）に示した記録再生装置のつなぎ撮り時の処理を示すフロー図である。
【図１１】記録再生装置が記録処理中に記録形式をＳＤ記録からＳＤＬ記録にダイナミックに切替える処理を示すフロー図である。
【符号の説明】
１　　ディジタルＶＴＲ（記録再生装置）
２　　メモリ
３　　画像データ処理回路
４　　メモリＩ／Ｆ（インターフェース）
５　　アドレス変換回路
６　　画像データ入出力ブロック
７　　オーディオ処理ブロック
８　　符号化／復号化ブロック
９　　誤り訂正ブロック
１０　符号化データ入出力ブロック
１１　システムコントロールＣＰＵ
１２　Ｉ／Ｆ（インターフェース）
２２　データＩ／Ｏブロック
２３　サーボ系ＣＰＵ
２５　電磁変換処理ブロック
２６　磁気テープ（記録テープ）
【図１】
2004145998.tif 000003
【図２】
2004145998.tif 000004
【図３】
2004145998.tif 000005
【図４】
2004145998.tif 000006
【図５】
2004145998.tif 000007
【図６】
2004145998.tif 000008
【図７】
2004145998.tif 000009
【図８】
2004145998.tif 000010
【図９】
2004145998.tif 000011
【図１０】
2004145998.tif 000012
【図１１】
2004145998.tif 000013